(57)【特許請求の範囲】
【請求項１】
筒状とされて内部に円柱状の回転軸が回転自在に設けられ下部に供給口が設けられると共に上部に排出口が設けられた洗米筒と、前記洗米筒内下側の回転軸にて形成され前記回転軸の回転によって回転して前記供給口から供給された原料白米を下から上へ搬送する揚穀螺旋と、前記洗米筒内上側の回転軸にて形成され前記回転軸の回転によって回転すると共に前記洗米筒との間に洗米室を形成する洗米ロールと、前記洗米室内を上から下へ流下する洗い水を注ぐ注水口と、を有し、前記回転する揚穀螺旋に搬送される原料白米を前記回転する洗米ロールによって前記洗米室内で前記洗い水と共に攪拌して洗米処理し、かつ、洗米処理した原料白米を前記排出口から前記洗米筒外へ排出する洗米部と、
前記洗米部に連設され、前記洗米部から供給された原料白米を脱水する脱水部と、
前記脱水部に連設され、前記脱水部から供給された原料白米を乾燥する乾燥部と、
を備えた無洗米製造装置において、
前記回転軸の周面に前記洗米室の下部へ臨む吐水口を形成し、
かつ、前記脱水部において原料白米を脱水することにより得られる脱水液を前記吐水口から前記洗米室の下部へ注水する、
ことを特徴とする無洗米製造装置。
【発明の詳細な説明】
【０００１】
【発明の属する技術分野】
本発明は無洗米製造装置に係り、特に、炊飯に先立つ洗米を必要とせず、水を加えるだけで炊飯することができ、しかも保存性の良い、所謂“無洗米”を製造する無洗米製造装置に関する。
【０００２】
【従来の技術】
無洗米製造装置においては、例えば、図９に示す如き無洗米製造装置４００が開発されつつある。この無洗米製造装置４００は、洗米部４０２を備えている。洗米部４０２は円筒状とされた洗米筒４０４を有しており、洗米筒４０４の下端は開口している。洗米筒４０４内には円柱状の回転軸４０６が設けられており、洗米筒４０４内の上側における回転軸４０６に複数の突条４０８Ａが形成されることで洗米ロール４０８が構成されると共に、洗米筒４０４と洗米ロール４０８との間には洗米室４１０が形成されている。洗米筒４０４内の下側における回転軸４０６には螺旋状のスクリュー羽根（図示省略）が形成されており、回転軸４０６とスクリュー羽根とにより揚穀螺旋（図示省略）が構成されている。洗米室４１０内では洗い水が上から下へ流下すると共に、回転軸４０６が図９の矢印Ａ方向へ回転することで揚穀螺旋及び洗米ロール４０８が回転しており、揚穀螺旋によって原料白米（精白米）が洗米筒４０４内を下から上に搬送され、かつ、この原料白米が洗米ロール４０８によって洗米室４１０内で洗い水と共に攪拌される。これにより、原料白米が洗米され、アリウロン残留物（玄米の糠層の最下層であるアリウロン層（糊粉層）に含まれていた油脂や蛋白質や糖質などから成る極めて粘度の高い半液体状の混合物）等の被除去物が原料白米の表面から遊離されて洗い水に溶解した状態になる。また、この無洗米製造装置４００は脱水部及び乾燥部（共に図示省略）を備えており、洗米処理が終了した原料白米は脱水部に供給されて脱水され、脱水処理が終了した原料白米は乾燥部に供給されて乾燥される。これにより、無洗米（乾燥部において乾燥された後の原料白米）が製造される。
【０００３】
ここで、洗米筒４０４には吐出管４１２が接続されており、脱水部で原料白米を脱水することにより得られる脱水液が吐出管４１２から洗米室４１０の下部へ注水されることで、節水が図られている。また、吐出管４１２は、洗米筒４０４の径方向に対し図９の矢印Ａ方向の反対側へ傾けられた状態で洗米筒４０４に接続されており、これにより、通常運転時（回転軸４０６が図９の矢印Ａ方向へ回転する時）の洗米ロール４０８の回転により吐出管４１２に原料白米が詰まることが防止されている。
【０００４】
しかしながら、このような無洗米製造装置４００では、洗米筒４０４内の残留米を揚穀螺旋によって下降させて洗米筒４０４の下端開口から排出する等のために、回転軸４０６（洗米ロール４０８及び揚穀螺旋）を図９の矢印Ｂ方向（通常運転時とは反対方向）へ回転させる場合がある。このように回転軸４０６を図９の矢印Ｂ方向へ回転させると、洗米ロール４０８の回転により吐出管４１２に原料白米が詰まり易くなり、したがって、吐出管４１２から脱水液を注水できなくなる可能性がある。
【０００５】
【発明が解決しようとする課題】
本発明は上記事実を考慮し、脱水液を洗米室へ注水する吐水口に原料白米が詰まって吐水口から脱水液を注水できなくなることを防止できる無洗米製造装置を得ることが目的である。
【０００６】
【課題を解決するための手段】
請求項１に記載の無洗米製造装置は、筒状とされて内部に円柱状の回転軸が回転自在に設けられ下部に供給口が設けられると共に上部に排出口が設けられた洗米筒と、前記洗米筒内下側の回転軸にて形成され前記回転軸の回転によって回転して前記供給口から供給された原料白米を下から上へ搬送する揚穀螺旋と、前記洗米筒内上側の回転軸にて形成され前記回転軸の回転によって回転すると共に前記洗米筒との間に洗米室を形成する洗米ロールと、前記洗米室内を上から下へ流下する洗い水を注ぐ注水口と、を有し、前記回転する揚穀螺旋に搬送される原料白米を前記回転する洗米ロールによって前記洗米室内で前記洗い水と共に攪拌して洗米処理し、かつ、洗米処理した原料白米を前記排出口から前記洗米筒外へ排出する洗米部と、前記洗米部に連設され、前記洗米部から供給された原料白米を脱水する脱水部と、前記脱水部に連設され、前記脱水部から供給された原料白米を乾燥する乾燥部と、を備えた無洗米製造装置において、前記回転軸の周面に前記洗米室の下部へ臨む吐水口を形成し、かつ、前記脱水部において原料白米を脱水することにより得られる脱水液を前記吐水口から前記洗米室の下部へ注水する、ことを特徴としている。
【０００７】
請求項１に記載の無洗米製造装置では、洗米部において回転軸の回転によって揚穀螺旋及び洗米ロールが回転されており、洗米筒下部の供給口から供給された原料白米が揚穀螺旋によって洗米筒内を下から上へ搬送され、この原料白米が洗米ロールによって洗米室内で注水口からの洗い水と共に攪拌されて洗米処理される。これにより、原料白米が洗米され、アリウロン残留物等の被除去物が原料白米の表面から遊離されて洗い水に溶解した状態になる。洗米処理された原料白米は、洗米筒上部の排出口から洗米筒外へ排出される。さらに、洗米処理が終了した原料白米は脱水部に供給されて脱水され、脱水処理が終了した原料白米が乾燥部にて乾燥されることにより無洗米となる。
【０００８】
また、脱水部において原料白米を脱水することにより得られる脱水液を回転軸の吐水口から洗米室の下部へ注水することで、注水口から注水する洗い水の量を少なくして節水が図られている。
【０００９】
ここで、脱水液を洗米室の下部へ注水する吐水口が円柱状とされた回転軸の周面に形成されているため、回転軸の回転方向に拘らず洗米ロールの回転によって吐水口へ原料白米が詰まることを防止でき、これにより、吐水口から脱水液を注水できなくなることを防止できる。
【００１０】
【発明の実施の形態】
図２には、本発明の実施の形態に係る無洗米製造装置１０が縦断正面図にて示されており、図３には、無洗米製造装置１０が一部破断した平面図にて示されている。
【００１１】
本実施の形態に係る無洗米製造装置１０は、洗米部１２、脱水部１４及び乾燥部１６を備えており、脱水部１４及び乾燥部１６は装置本体１８内に収容されている。装置本体１８の内部には取付台２０が架設されると共に、装置本体１８の外周（４つの周面）にはカバー２２が設けられている。
【００１２】
装置本体１８の内壁には支持部材２４が固定されており、支持部材２４には円筒状とされた支柱２６の下部が回転可能に支持されている。支柱２６の上側は装置本体１８の上壁から上方に突出すると共に、支柱２６の上部にはアーム２８が一体に設けられており、アーム２８には洗米部１２が取り付けられている。
【００１３】
支柱２６の上下方向略中間部分には略扇状のベース３０が一体に設けられており、ベース３０は装置本体１８の上面に接している。ベース３０の円弧部分近傍には、この円弧部分に沿って円弧状の切欠部３２が形成されており、切欠部３２の一端部は開口している。切欠部３２に対応して装置本体１８の上面には、クランプレバー３４が末端において回動自在に取り付けられており、切欠部３２の他端部をクランプレバー３４の末端に当接させた状態でクランプレバー３４を締め付けることで、支柱２６の回転が阻止されて洗米部１２が装置本体１８に装着されている。また、クランプレバー３４を緩めることで支柱２６の回転が可能となり、これにより、支柱２６を中心として洗米部１２を回動させて、洗米部１２を装置本体１８から離脱させることができる。なお、洗米部１２は装置本体１８に対し、洗米部１２が装置本体１８に装着された状態（切欠部３２の他端部がクランプレバー３４の末端に当接した状態）から１８０°回動可能とされている。
【００１４】
図４及び図６に詳細に示す如く、洗米部１２は軸受部材３６を備えており、軸受部材３６はアーム２８に固定されている。また、洗米部１２は洗米モータ３８を備えており、洗米モータ３８もアーム２８に固定されている。軸受部材３６は円柱状の回転軸４０を回転自在に軸支しており、回転軸４０の上部及び下部は軸受部材３６から突出している。回転軸４０には、軸受部材３６の上方においてプーリ４２が固定されており、このプーリ４２は、洗米モータ３８の駆動軸に固定されたプーリ４４にベルト４６を介して連結されている。これにより、洗米モータ３８が駆動されることで、回転軸４０が回転される。また、洗米モータ３８の電線４８は、支柱２６内部を貫通されることで、装置本体１８内に設けられた制御盤５０（図２及び図５参照）に接続されている。
【００１５】
軸受部材３６の下部には円筒状の洗米筒５２が固定されており、洗米筒５２内には回転軸４０が収容されると共に、洗米筒５２の下端は開口されている。洗米筒５２の下端近傍における側壁には供給口５２Ａが形成されており、供給口５２Ａにはスクリューフィーダ５４が臨設されている。スクリューフィーダ５４は供給モータ５６を備えており、供給モータ５６によりスクリューフィーダ５４が駆動される。スクリューフィーダ５４にはホッパ５８が連設されており、ホッパ５８は、上記アーム２８に固定されると共に、上方に開放されている。ここで、ホッパ５８に原料白米（精白米）が供給されると、スクリューフィーダ５４によって原料白米が搬送されて、供給口５２Ａを介して洗米筒５２内に原料白米が供給される。また、供給モータ５６の電線６０は、支柱２６内部を貫通されることで上記制御盤５０に接続されている。
【００１６】
ホッパ５８の下部には原料センサ６２が設けられており、原料センサ６２はホッパ５８内の原料白米の有無を検出する。原料センサ６２の配線６４は支柱２６内部を貫通されることで上記制御盤５０に接続されており、ホッパ５８内に原料白米が無くなったことを原料センサ６２が検出すると、所定時間後に無洗米製造装置１０の全体（洗米モータ３８、供給モータ５６、後記脱水モータ１３４、ポンプ１６４、搬送モータ１６８、乾燥モータ２０８及びヒータ２１６等）が停止される。また、ホッパ５８には原料センサ６２の下方において流量調節シャッタ６６が設けられており、流量調節シャッタ６６によって洗米筒５２内に供給される原料白米の量が調節される。
【００１７】
洗米筒５２内における回転軸４０下側の外周には、スクリュー羽根６８Ａが形成されて揚穀螺旋６８が構成されており、揚穀螺旋６８と洗米筒５２との間には揚穀室７０が形成されている。これにより、回転軸４０が回転されることで、揚穀螺旋６８が回転されて揚穀室７０内の原料白米が下から上へ搬送される。また、上記供給口５２Ａの上方側（図４のＡの部位）においては、スクリュー羽根６８Ａは１条形成されると共に、スクリュー羽根６８Ａと洗米筒５２との隙間は原料白米の砕粒が生じない程度の大きさ（例えば５ｍｍ程度）とされている。一方、供給口５２Ａの下方側（図４のＢの部位）においては、スクリュー羽根６８Ａは２条形成されると共に、スクリュー羽根６８Ａと洗米筒５２との隙間は原料白米が通過しない程度の大きさ以下（例えば１ｍｍ程度以下）とされている。これにより、揚穀室７０内で原料白米が砕粒することが防止されると共に、洗米筒５２下端の開口から原料白米が落下することが防止されている。
【００１８】
洗米筒５２内における回転軸４０の外周には、スクリュー羽根６８Ａの直上において円柱状の突条７２Ａが複数形成されている。さらに、洗米筒５２内における回転軸４０の外周には、複数の突条７２Ａの直上において複数枚の掻き出し板７２Ｂが固定されており、各掻き出し板７２Ｂは回転軸４０の軸線（回転中心）と平行とされている。この複数の突条７２Ａ及び複数枚の掻き出し板７２Ｂによって、洗米筒５２内における回転軸４０上側に洗米ロール７２が構成されており、洗米筒５２と洗米ロール７２の突条７２Ａ形成部位との間には洗米室７４が形成されている。これにより、回転軸４０が回転されることで洗米ロール７２が回転され、原料白米が洗米室７４内で突条７２Ａ及び上昇する原料白米の自重によって抵抗を与えられて攪拌される。
【００１９】
回転軸４０の中心には、その上端から突条７２Ａ形成部位の上側部分に亘って、給水穴７６が形成されている。この給水穴７６は、回転軸４０の周面から洗米室７４の上部に臨むように開口する複数の注水口７６Ａに連通しており、複数の注水口７６Ａは、回転軸４０の最上部の突条７２Ａの上方から突条７２Ａ形成部位の上側部分の範囲において形成されている。回転軸４０の上端には連結器７８が設けられており、連結器７８は、回転部である回転軸４０と固定部である配管８０とを密封した状態で連結している。配管８０にはチューブ８２が接続されると共に、チューブ８２は支柱２６内部を貫通されることで装置本体１８内を通って装置本体１８外に出されており、チューブ８２は装置本体１８の外部に設けられた給水タンク（図示省略）に接続されている。このため、給水タンクからチューブ８２、配管８０、連結器７８を介して給水穴７６内に洗い水（純清水）が供給され、複数の注水口７６Ａから洗米室７４の内部に洗い水が注がれる。これにより、洗米室７４内で原料白米が洗米される。
【００２０】
図１に示す如く、回転軸４０の中心には、その下端から突条７２Ａ形成部位の下側部分に亘って、補水穴９４が形成されている。この補水穴９４は、回転軸４０の周面から洗米室７４の下部に臨むように開口する複数の吐水口９４Ａに連通しており、複数の吐水口９４Ａは、回転軸４０の最下部の突条７２Ａの下方から突条７２Ａ形成部位の下側部分の範囲において形成されている。回転軸４０の下端には連結管９６が固定されており、連結管９６は補水穴９４に密封された状態で連結されている。連結管９６には補水管９８が密封された状態で連結されており、連結管９６は補水管９８に対し回転自在とされている。補水管９８にはチューブ８６が接続されると共に、チューブ８６は支柱２６内部を貫通されることで脱水部１４の後記ポンプ１６４に接続されており、後に詳細に説明する如く脱水部１４において原料白米が脱水されることで得られる脱水液（洗米室７４の上部で原料白米に付着した洗い水であるため準清水である）がポンプ１６４、チューブ８６、補水管９８、連結管９６及び補水穴９４を介して吐水口９４Ａから洗米室７４の下部へ注がれる。これにより、脱水液が洗い水として再利用され、このため、上記給水タンクから供給する洗い水の量を少なくすることができる。
【００２１】
洗米筒５２には、洗米室７４形成部位の上下方向略中間部分から揚穀室７０形成部位の上部に亘って、多数の排水口５２Ｂが穿設されており、多数の排水口５２Ｂからアリウロン残留物等を含有する汚れた洗い水（洗い汁）が排水されることで、洗米室７４内の洗い水の汚れが抑制される。なお、この排水口５２Ｂは、洗米筒５２の洗米室７４形成部位の全体に穿設してもよい。洗米筒５２の外周には、排水口５２Ｂ穿設部位から下端に亘って排水壁８８が設けられており、洗米筒５２と排水壁８８との間には排水室９０が形成されている。これにより、多数の排水口５２Ｂから排水された洗い水（洗い汁）が、排水室９０を介して洗米筒５２の下端近傍から下方へ排水される。さらに、上述の如く洗米筒５２の下端は開口されているため、洗米室７４及び揚穀室７０を通過して汚れた洗い水（洗い汁）が洗米筒５２の下端から下方へ排水される。これにより、洗米室７４及び揚穀室７０内の洗い水の汚れが抑制される。
【００２２】
洗米筒５２の上部であって洗米ロール７２の掻き出し板７２Ｂに対応する位置には排出口５２Ｃが形成されており、洗米処理された原料白米が、上記揚穀螺旋６８の搬送力により洗米室７４から排出口５２Ｃを介して洗米筒５２外へ排出される。また、排出口５２Ｃに対応して洗米筒５２の上部には排出管９２が固定されており、排出管９２は、一端部が排出口５２Ｃを被った状態で洗米筒５２に沿って垂設されている。これにより、排出口５２Ｃから排出された原料白米が、排出管９２内を落下して排出管９２の下端から排出される。
【００２３】
図５及び図６に詳細に示す如く、脱水部１４は、洗米部１２の直下における装置本体１８内に配設されており、脱水部１４は遠心脱水筒１００及び外郭筒１０２を備えている。遠心脱水筒１００は脱水内筒１０４及び脱水外筒１０６から成り、脱水内筒１０４及び脱水外筒１０６は双方とも上端が開口した円筒状とされて立設されると共に、脱水内筒１０４と脱水外筒１０６との間には脱水室１０８が形成されている。一方、外郭筒１０２は、上端が開口した円筒状とされて遠心脱水筒１００を囲うように立設されている。
【００２４】
脱水部１４に対応して装置本体１８の上壁には開放口１１０が形成されており、開放口１１０には円環状の外カバー１１２が着脱自在に装着されると共に、外カバー１１２の内側には略円盤状の内カバー１１４が着脱自在に装着されている。外カバー１１２が内カバー１１４と共に装置本体１８の上壁から離脱されると、開放口１１０全体が開放されて外郭筒１０２の内側の範囲が開放される一方、内カバー１１４のみが装置本体１８の上壁（外カバー１１２）から離脱されると、開放口１１０が部分的に開放されて脱水内筒１０４の内側の範囲のみが開放される。
【００２５】
内カバー１１４の中心部分には、水受管１１６が垂設されており、水受管１１６の上端は上記洗米筒５２及び排水壁８８に対応して大きくされる共に、水受管１１６の下部は脱水内筒１０４内の下側まで到達している。このため、排水室９０の下端及び洗米筒５２の下端から排水された洗い水（洗い汁）が水受管１１６の上端に受け止められることで、この洗い水（洗い汁）が水受管１１６内を落下する。
【００２６】
内カバー１１４には米受管１１８が垂設されており、米受管１１８の上端は拡径されて上記排出管９２の直下に配置されると共に、米受管１１８の下端は脱水内筒１０４内の下端近傍まで到達している。このため、洗米部１２での洗米処理が終了して排出管９２から排出された原料白米は、米受管１１８内を落下して脱水内筒１０４内の下端に到達する。
【００２７】
内カバー１１４には周方向に沿って複数の吸気口１２０が形成されており、後に詳細に説明する如くこの複数の吸気口１２０を介して脱水内筒１０４の内部に空気が吸気される。また、内カバー１１４に設けられた水受管１１６及び米受管１１８には遮風板１２２が取り付けられており、遮風板１２２は脱水内筒１０４内の上下方向略中間部分に配置されている。このため、複数の吸気口１２０からの空気が脱水内筒１０４内の下側へ到達することがこの遮風板１２２によって阻害される。
【００２８】
脱水内筒１０４の下端には下端板１２４が設けられており、下端板１２４には円筒軸１２６が固定されている。円筒軸１２６の内部には、回転不能とされた円筒状の排水管１２８が配置されている。円筒軸１２６は、上記取付台２０に固定された軸受台１３０に後記円筒軸１４８を介して回転自在に軸支されている。円筒軸１２６の下端にはプーリ１３２が固定されており、このプーリ１３２は、脱水モータ１３４の駆動軸に固定されたプーリ１３６にベルト１３８を介して連結されている。これにより、脱水モータ１３４が駆動されることで、円筒軸１２６及び下端板１２４が回転されて、脱水内筒１０４が回転される。また、排水管１２８の上端には上記水受管１１６の下端が着脱自在に差しこまれており、これにより、上述の如く水受管１１６内を落下した洗い水（洗い汁）が排水管１２８を介して装置本体１８外に排水される。
【００２９】
脱水内筒１０４の周面には、多数の噴風孔１０４Ａが形成されており、脱水内筒１０４の内部は噴風室１４０とされている。また、脱水内筒１０４の下端周面には、周方向に沿って複数の移送口１４２が形成されており、米受管１１８から落下して下端板１２４上に到達した原料白米は、下端板１２４が回転されることで遠心力を受けて移送口１４２を介して脱水室１０８の下部に移送される。さらに、脱水内筒１０４の外周にはスクリュー羽根１４４が張設されており、脱水内筒１０４が回転されることでスクリュー羽根１４４が一体に回転されて、脱水室１０８下部の原料白米が脱水室１０８上部へ上昇される。
【００３０】
脱水外筒１０６の下端には下端板１４６が設けられており、下端板１４６には円筒軸１４８が固定されている。円筒軸１４８は、円筒軸１２６を囲う状態で上記軸受台１３０に回転自在に軸支されている。円筒軸１４８の下端にはプーリ１５０が固定されており、このプーリ１５０は、上記脱水モータ１３４の駆動軸に固定されたプーリ１５２にベルト１５４を介して連結されている。これにより、脱水モータ１３４が駆動されることで、円筒軸１４８及び下端板１４６が回転されて、脱水外筒１０６が回転される。また、プーリ１５０の直径はプーリ１３２の直径と同一とされると共に、プーリ１５２の直径はプーリ１３６の直径より若干小さくされている。
【００３１】
脱水外筒１０６の周面には、多数の排水・排風用の排出孔１０６Ａが形成されると共に、脱水外筒１０６の外周には、脱水外筒１０６の軸線（回転中心）と平行とされた複数枚の起風翼１５６が固定されている。このため、脱水外筒１０６が回転されることで、起風翼１５６が一体に回転して脱水外筒１０６の外側（外郭筒１０２内）に風が発生し、上記吸気口１２０、噴風室１４０、噴風孔１０４Ａ、脱水室１０８、排出孔１０６Ａ及び外郭筒１０２内の順で風が送風される。これにより、脱水室１０８内を上昇される原料白米に付着した洗い水が脱水される。また、上述の如く遮風板１２２によって脱水内筒１０４内（噴風室１４０）の下側へ空気が到達することが阻害されるため、脱水室１０８の下側への送風量は少なくされる一方、脱水室１０８の上側への送風量は多くされる。これは、脱水室１０８の下側に位置する原料白米に付着している洗い水は多いため、脱水室１０８の下側への送風量が少なくても多くの洗い水を脱水できる一方、脱水室１０８の上側に位置する原料白米に付着している洗い水は比較的少ないため、脱水室１０８の上側への送風量を多くすることで良好に原料白米を脱水できることによる。
【００３２】
脱水外筒１０６の上端の外周全体には移送板１５８が設けられており、脱水処理が終了して脱水室１０８の上端から排出された原料白米が遠心力により移送板１５８上に搬送される。移送板１５８は外郭筒１０２の上方に配置されており、脱水外筒１０６が回転されて移送板１５８が一体に回転されることで、移送板１５８上の原料白米が遠心力を受けて、この原料白米が移送板１５８の外周から落下する。移送板１５８の外周は外郭筒１０２の周壁の直上に位置しており、このため、移送板１５８の外周から落下する原料白米は、外郭筒１０２の外側を通過する。
【００３３】
外郭筒１０２の下端には下面板１０２Ａが形成されており、下面板１０２Ａは上記取付台２０に取付部材１６０を介して固定されている。下面板１０２Ａには搬送管１６２が連結されており、脱水室１０８で原料白米を脱水して得られる脱水液が排出孔１０６Ａ及び外郭筒１０２内を介して搬送管１６２内を落下する。搬送管１６２はポンプ１６４に接続されると共に、ポンプ１６４には上記チューブ８６が接続されており、搬送管１６２からの脱水液（準清水）はポンプ１６４によってチューブ８６、補水管９８、連結管９６及び補水穴９４内を搬送されて吐水口９４Ａから洗米室７４の下部へ注がれる。
【００３４】
外郭筒１０２の外周にはプーリ１６６が回転自在に支持されており、このプーリ１６６は、搬送モータ１６８の駆動軸に固定されたプーリ１７０にベルト１７２を介して連結されている。プーリ１６６の上面には円環状の搬送板１７４が固定されており、搬送板１７４は、上記移送板１５８の下方に配置されて外郭筒１０２の外周を取り囲むと共に、常にプーリ１６６と一体に回転する。このため、搬送モータ１６８が駆動されることで、プーリ１６６と一体に搬送板１７４が回転され、後述の如く脱水処理が終了して移送板１５８から搬送板１７４上に落下した原料白米が、遠心力を受けて搬送板１７４の外方向へ移動する。
【００３５】
搬送板１７４に対応して装置本体１８の上壁下面には、円筒状の係止筒１７６の上端が固定されており、係止筒１７６の周壁は搬送板１７４の外周近傍の直上に位置すると共に、係止筒１７６の周壁下端と搬送板１７４との隙間は原料白米が通過しない程度以下の大きさとされている。このため、この係止筒１７６の周壁によって、移送板１５８からの原料白米が全て搬送板１７４上に落下されると共に、搬送板１７４上の原料白米が搬送板１７４から落下することが防止される。また、係止筒１７６の乾燥部１６側における周壁には、搬送路１７８が形成されており、搬送路１７８は対向する一対の側壁１７８Ａ（図８参照）を有している。さらに、一方の側壁１７８Ａ（搬送板１７４回転方向側の側壁１７８Ａ）と外郭筒１０２との間には、曲面を有する堰板１８０（図８参照）が架け渡されており、堰板１８０の下端と搬送板１７４との隙間は原料白米が通過しない程度以下の大きさとされている。これにより、搬送板１７４上の原料白米の回転が堰板１８０に阻止されることで、この原料白米が搬送板１７４から落下して搬送路１７８を介して乾燥部１６へ搬送される。
【００３６】
図７及び図８に詳細に示す如く、乾燥部１６は、脱水部１４に隣接して装置本体１８内に配設されている。乾燥部１６は乾燥筒２００を備えており、乾燥筒２００は上記取付台２０上に立設されている。乾燥筒２００の内周面には複数の受けロール２０２が固定されており、複数の受けロール２０２上には乾燥円盤２０４が載置されている。これにより、乾燥円盤２０４は乾燥筒２００内で水平な状態とされて回転可能に支持されている。乾燥筒２００の上端は開口されると共に、乾燥筒２００内の乾燥円盤２０４より上側は乾燥室２０６とされており、脱水処理が終了した原料白米が搬送路１７８から乾燥筒２００の上端開口を介して乾燥円盤２０４上に落下する。
【００３７】
乾燥円盤２０４の中心には乾燥モータ２０８の駆動軸が固定されており、乾燥モータ２０８が駆動されることで乾燥円盤２０４が回転される。乾燥室２０６の中心には支持筒２１０が設置されると共に、支持筒２１０と乾燥筒２００との間には一対のブラケット２１２が架け渡されており、一方のブラケット２１２（乾燥円盤２０４上に落下した原料白米が最初に通過する方のブラケット２１２）には複数（本実施の形態では３つ）の均平板２１４が支持されている。各均平板２１４の乾燥円盤２０４に対する高さ及び各均平板２１４の向きは調節可能とされており、乾燥円盤２０４が回転されることで、複数の均平板２１４によって原料白米が乾燥円盤２０４上に均等に拡散される。
【００３８】
乾燥筒２００の上方における装置本体１８上壁にはヒータ２１６が設けられており、ヒータ２１６は、装置本体１８の外部からの空気を加熱することで温風を生じさせて、この温風を乾燥筒２００の上端開口を介して乾燥円盤２０４上の原料白米に均等に送風する。さらに、乾燥円盤２０４には多数の通風孔２０４Ａが形成されており、乾燥筒２００内の乾燥円盤２０４より下側は排気室２１８とされている。乾燥筒２００の下端は開口されると共に、上記取付台２０には乾燥筒２００の下方において排気口２２０が形成されており、排気口２２０の下側には排気管２２２が排気口２２０を被う状態で連結されている。これにより、ヒータ２１６から送風された温風が乾燥円盤２０４上の原料白米を通過することで原料白米が乾燥されると共に、原料白米を通過した温風が通風孔２０４Ａ、排気室２１８、排気口２２０及び排気管２２２を介して装置本体１８の外部に排気される。
【００３９】
乾燥筒２００と支持筒２１０との間には、曲面を有する堰板２２４が架け渡されており、堰板２２４の下端と搬送板１７４との隙間は原料白米が通過しない程度以下の大きさとされている。堰板２２４に対応して乾燥筒２００には排出樋２２６が設けられており、排出樋２２６は、乾燥筒２００内と装置本体１８の外部とを連通している。これにより、上記搬送路１７８を介して乾燥円盤２０４上に落下した原料白米が乾燥円盤２０４によって略一回転された際に、原料白米の回転が堰板２２４に阻止されて原料白米が乾燥円盤２０４の外方向へ移動されることで、乾燥処理が終了した原料白米（無洗米）が、乾燥筒２００内から排出樋２２６を介して装置本体１８の外部に排出される構成である。
【００４０】
次に、本実施の形態の作用について説明する。
【００４１】
以上の構成の無洗米製造装置１０では、洗米モータ３８により回転軸４０を所定の回転速度（例えば７００ｒｐｍ）で回転させた状態で供給モータ５６によりスクリューフィーダ５４を駆動してホッパ５８内の原料白米を洗米筒５２の下部に供給すると、原料白米は揚穀螺旋６８によって揚穀室７０内を下から上へ搬送され、洗米室７４に供給される。洗米室７４では、原料白米は、揚穀螺旋６８の搬送力によって下から上へ搬送されると共に自重により加圧される。
【００４２】
給水タンク（図示省略）により注水口７６Ａから適量の洗い水（純清水）を洗米室７４内に注ぐと、回転する洗米ロール７２によって洗米室７４内の原料白米が洗い水と共に攪拌され、洗米処理が行われる。また、脱水部１４からの脱水液（準清水）を吐水口９４Ａから洗米室７４の下部へ注ぐため、給水タンクから供給される洗い水の量が少なくされて節水が図られる。
【００４３】
洗米処理された原料白米は、回転する掻き出し板７２Ｂにより排出口５２Ｃを介して排出管９２の下端から排出され、脱水部１４の米受管１１８を介して脱水内筒１０４の下端に到達する。また、洗米処理されて汚れた洗い水（洗い汁）は、排水室９０の下端及び洗米筒５２の下端から排水され、脱水部１４の水受管１１６及び排水管１２８を介して装置本体１８外へ排水される。
【００４４】
脱水部１４では、脱水モータ１３４により遠心脱水筒１００が所定の速度で回転している。すなわち、脱水内筒１０４が所定の速度（例えば１２００ｒｐｍ）で回転すると共に、脱水外筒１０６は脱水内筒１０４より若干遅い所定の速度（例えば１０００ｒｐｍ）で回転している。同時に、脱水外筒１０６の回転により起風翼１５６が回転することで吸気口１２０から吸気が行われ、この空気が脱水内筒１０４の噴風室１４０、噴風孔１０４Ａ、脱水室１０８、脱水外筒１０６の排出孔１０６Ａを経て外郭筒１０２内に至る。
【００４５】
脱水内筒１０４の下端に到達した原料白米は、遠心力により移送口１４２を介して脱水室１０８の下部に供給される。脱水室１０８に供給された原料白米は、スクリュー羽根１４４により上昇されながら遠心脱水され、脱水液は脱水外筒１０６の排出孔１０６Ａから排出される。この際、原料白米に付着した洗い水は、脱水室１０８内を上昇する途中で全て遠心脱水される。また、上述の如く吸気口１２０から吸気された空気が脱水室１０８に噴射されることで、遠心脱水作用が補助されている。脱水処理された原料白米は、その表面にごく僅かに水が付着した状態で、遠心力と自然落下により脱水室１０８の上部から移送板１５８、搬送板１７４及び搬送路１７８を介して排出され、乾燥部１６の乾燥円盤２０４上に供給される。
【００４６】
乾燥部１６では、乾燥モータ２０８によって乾燥円盤２０４が所定の速度（例えば７ｒｐｍ）で回転されており、乾燥円盤２０４上に供給された原料白米は、均平板２１４により均等に拡散される。乾燥円盤２０４上で拡散された原料白米は、ヒータ２１６から乾燥室２０６、乾燥円盤２０４の通風孔２０４Ａ、排気室２１８、排気口２２０及び排気管２２２を経て装置本体１８外へ流れる温風を浴びることで、表面付着水が完全に除去されて乾燥されることにより、無洗米となる。無洗米となった原料白米は、排出樋２２６から排出される。
【００４７】
ところで、洗米筒５２内の残留米（原料白米）を処理する際には、回転軸４０を通常運転時とは逆方向に回転させる（注水口７６Ａから水を注いだ状態で行うのが好ましい）ことで、揚穀螺旋６８によって残留米を下降させて洗米筒５２の下端開口から排出することができ、これにより、この残留米を水受管１１６及び排水管１２８を介して装置本体１８外へ排出することができる。
【００４８】
ここで、脱水部１４からの脱水液を洗米室７４の下部へ注水する吐水口９４Ａは、円筒状とされた回転軸４０の周面に形成されている。このため、回転軸４０の回転方向に拘らず洗米ロール７２の回転によって吐水口９４Ａへ原料白米が詰まることを防止でき、これにより、吐水口９４Ａから脱水液を注水できなくなることを防止できる。
【００４９】
なお、本実施の形態では、吐水口９４Ａを回転軸４０の周面に形成して吐水口９４Ａが洗米室７４の下部に臨む構成としたが、吐水口を回転軸４０周面の突条７２Ａの先端に形成してこの吐水口が洗米室７４の下部に臨む構成としてもよい。
【００５０】
さらに、本実施の形態では、脱水室１０８に供給された原料白米がスクリュー羽根１４４により上昇されながら遠心脱水される構成としたが、脱水室に供給された原料白米がスクリュー羽根等により下降されながら遠心脱水されるようにしてもよい。
【００５１】
また、上記の実施の形態では、水平面上を回転する乾燥円盤２０４を備えた横回転式の乾燥部１６を用いた構成としたが、乾燥ドラム等を備えた縦回転式の乾燥部及びその他の形式の乾燥部を使用することができる。
【００５２】
【発明の効果】
請求項１に記載の無洗米製造装置では、脱水液を洗米室の下部へ注水する吐水口が円柱状とされた回転軸の周面に形成されているため、回転軸の回転方向に拘らず洗米ロールの回転によって吐水口へ原料白米が詰まることを防止でき、これにより、吐水口から脱水液を注水できなくなることを防止できる。
【図面の簡単な説明】
【図１】本発明の実施の形態に係る無洗米製造装置の洗米部の主要部を詳細に示す縦断正面図である。
【図２】無洗米製造装置を示す縦断正面図である。
【図３】無洗米製造装置を示す一部破断した平面図である。
【図４】洗米部を詳細に示す縦断正面図である。
【図５】脱水部を詳細に示す縦断正面図である。
【図６】洗米部及び脱水部を詳細に示す一部破断した平面図である。
【図７】乾燥部を詳細に示す縦断正面図である。
【図８】乾燥部を詳細に示す一部破断した平面図である。
【図９】従来の無洗米製造装置の洗米部を示す横断平面図である。
【符号の説明】
１０      無洗米製造装置
１２      洗米部
１４      脱水部
１６      乾燥部
４０      回転軸
５２      洗米筒
５２Ａ    供給口
５２Ｃ    排出口
６８      揚穀螺旋
７２      洗米ロール
７６Ａ    注水口
９４Ａ    吐水口
【図１】
0003581083.tif 000002
【図２】
0003581083.tif 000003
【図３】
0003581083.tif 000004
【図４】
0003581083.tif 000005
【図５】
0003581083.tif 000006
【図６】
0003581083.tif 000007
【図７】
0003581083.tif 000008
【図８】
0003581083.tif 000009
【図９】
0003581083.tif 000010